(57)【特許請求の範囲】
【請求項１】
記録媒体を内蔵したケースを挿入する開口部が筐体に形成され、開口部を開閉する蓋体が、開口部の筐体内側に備えられていると共に、筐体内に挿入され終えた挿入完了位置にあるケースを記録再生可能位置にて記録再生駆動部により記録再生するように構成された記録再生装置の蓋体開閉機構において、
上記開口部の裏面側には、挿入完了位置にあるケースに対して挿入完了位置よりも開口部側かつ記録再生駆動部側に間隙が設定されており、
上記開口部から挿入されるケースと当接する蓋体を、ケースの挿入による当接力によって、上記間隙により近い蓋体の辺縁部から先に間隙内に進入させる案内手段を備え、
上記ケースの挿入完了位置と記録再生可能位置とが一致していると共に、ケースが挿入完了位置に到達したときに、上記蓋体の間隙への進入軌跡に沿って蓋体を逆動させ、開口部を閉状態とする付勢手段を備えていることを特徴とする蓋体開閉機構。
【請求項２】
上記案内手段が上記挿入完了位置よりも上記開口部側かつ上記記録再生駆動部側に設けられていることを特徴とする請求項１に記載の蓋体開閉機構。
【請求項３】
上記案内手段は、
上記蓋体の長手方向両端の各側面部に、上記長手方向と平行に突出して形成された第１ガイドピン及び第２ガイドピンと、
各ガイドピンを嵌入させて蓋体の移動を案内するガイド溝が形成され、対向状態で上記筐体に設けられた１対の蓋体保持部とを備え、
上記ガイド溝の内、第１ガイドピンに対応する第１ガイド溝よりも第２ガイドピンに対応する第２ガイド溝が上記間隙に近い側で、上記ケースの挿入方向と略直角に形成される一方、ケースが上記間隙内に進入する際の第２ガイドピンに対する第１ガイドピンの相対的な移動が、第２ガイドピンを中心とした回動となるように、第１ガイド溝及び第２ガイド溝が形成されていることを特徴とする請求項１又は２記載の蓋体開閉機構。
【請求項４】
上記ケースの挿入開始時に、第２ガイド溝における第２ガイドピンの移動開始方向よりも筐体内側へ第１ガイドピンが移動できるように、第１ガイド溝の溝幅が、局部的に円弧状に広げられていると共に、この円弧はケースの挿入開始時に蓋体が大きく傾き、かつ挿入終了時に近づくに伴い蓋体が小さく傾くように形成されていることを特徴とする請求項３記載の蓋体開閉機構。
【請求項５】
上記蓋体を上記間隙により近い蓋体の辺縁部から先に間隙内に進入させるに際して、蓋体における長手方向の両端共を均一に進入させる進入均一化手段が設けられていることを特徴とする請求項１ないし４のいずれか１項に記載の蓋体開閉機構。
【請求項６】
記録媒体を内蔵したケースを挿入する開口部が筐体に形成され、開口部を開閉する蓋体が、開口部の筐体内側に備えられていると共に、筐体内に挿入され終えた挿入完了位置にあるケースを記録再生可能位置にて記録再生駆動部により記録再生するように構成された記録再生装置において、
上記開口部の裏面側には、挿入完了位置にあるケースに対して挿入完了位置よりも開口部側かつ記録再生駆動部側に間隙が設定されており、
上記開口部から挿入されるケースと当接する蓋体を、ケースの挿入による当接力によって、上記間隙により近い蓋体の辺縁部から先に間隙内に進入させる案内手段を備えている蓋体開閉機構と、
上記ケースを開口部と挿入完了位置との間で進退させると共に、挿入完了位置と記録再生可能位置との間で移動させる媒体脱着機構と、
上記筐体から露出して設けられた操作部に連接され、上記ケースが記録再生可能位置にあるときに、操作者により操作された操作部の移動ストロークに対応して、上記蓋体開閉機構に係合した状態で、蓋体開閉機構に蓋体の開移動を行わせると共に、上記媒体脱着機構に係合した状態で、媒体脱着機構にケースの排出動作を行わせる係合部材とを備えていることを特徴とする記録再生装置。
【請求項７】
請求項１〜５の何れか１項に記載の蓋体開閉機構と、
上記ケースを開口部と記録再生可能位置に一致した挿入完了位置との間で進退させる媒体脱着機構と、
上記筐体から露出して設けられた操作部に連接され、上記ケースが記録再生可能位置にあるときに、操作者により操作された操作部の移動ストロークに対応して、上記蓋体開閉機構に係合した状態で、蓋体開閉機構に蓋体の開移動を行わせると共に、上記媒体脱着機構に係合した状態で、媒体脱着機構にケースの排出動作を行わせる係合部材とを備えていることを特徴とする記録再生装置。
【発明の詳細な説明】
【０００１】
【発明の属する技術分野】
本発明は、例えば、ＭＤ（Mini Disk)や３．５インチＦＤ、又はＭＯディスク（Magneto-Optical Disk）等のように、ハードカートリッジを外装した記録媒体に情報信号の記録再生を行う記録再生装置において、記録再生装置への装着時或いは非装着時に、記録媒体を挿入する開口部を閉じる蓋体の開閉を行う蓋体開閉機構に関するものである。
【０００２】
【従来の技術】
例えば、図１５（ａ）（ｂ）に示すように、記録媒体としてのＭＤ８１を装置前方（装置の矢印Ａ方向側）から矢印Ｂ方向に挿入する方式の記録再生装置８０がある。尚、以下、装置の矢印Ａ方向側を前部、Ｂ方向側を後部、Ｃ方向側を上部、Ｄ方向側を下部と称する。
【０００３】
従来、上記のような記録再生装置８０においては、図１５（ａ）に示すように、装置内部にＭＤ８１を挿入すべく形成された開口部８２ａ付近の上方に、回動軸８３ａを中心に矢印Ｇ−Ｈ方向に回動可能とされ、かつ、図示しないバネにより矢印Ｈ方向、即ち閉状態となるように付勢される蓋体８３を設け、該蓋体８３により上記開口部８２ａを一点鎖線で示された閉蓋状態に保持させる構成となっていた。
【０００４】
上記のような記録再生装置８０では、ＭＤ８１を矢印Ｂ方向に挿入することにより、ＭＤ８１の挿入方向先端部が上記蓋体８３に当接して押圧するので、蓋体８３が回動軸８３ａを中心として矢印Ｇ方向に回動し始める。そして、ＭＤ８１が完全に記録再生装置８０の内部に収納されてしまうと、図示しないＭＤ装着機構が作動して、ＭＤ８１は下方に移動し、図１５（ｂ）に示すように、ＭＤ８１を記録再生可能位置に装着するようになっている。
【０００５】
このとき、蓋体８３は上記バネの付勢力によりＭＤ８１の上面に当接する状態で押し付けられ、開口部８２ａは半開状態となっている。尚、記録再生装置８０にＭＤ８１が装着されていないときには、装置内部が密閉状態となるために、埃や異物等の侵入を防止することができる。
【０００６】
しかしながら、上記の記録再生装置８０の構成では、ＭＤ８１の装着時には、蓋体８３が半開状態となっているので、開口部８２ａから、埃や異物等が侵入する可能性がある。
【０００７】
そこで、ＭＤ８１の装着時における埃や異物等の侵入を防止するために、図１６（ａ）に示すように、ＭＤ８１が蓋体８３の開閉動作を阻害しない位置にくるように、ＭＤ８１の記録再生可能位置を記録再生装置８０の後方（矢印Ｂ方向）に移動させたり、図１６（ｂ）に示すように、上記記録再生可能位置を下方（矢印Ｄ方向）に移動させたりすることが考えられる。
【０００８】
しかし、前者の場合、ＭＤ８１を蓋体８３の回動半径を超える奥の方へ引き込まなければならないので、長い引込み量に対応するためにモータのような駆動源を備えたローディング機構が別途必要になる。また、少なくとも記録再生装置８０の矢印Ｂ方向側を蓋体８３の長さ以上に拡大し、奥行きを広げる必要もあるので、記録再生装置８０のコスト高や大型化を招来するという問題点が有る。
【０００９】
一方、後者の場合、ＭＤ８１を蓋体８３の回動半径を超える下方まで下降させなければならないので、少なくとも記録再生装置８０の矢印Ｄ方向側を拡大して厚みを大きくする必要が有る。このため、記録再生装置８０の薄型化が困難になると共に、記録再生装置８０のコスト高を招来するという問題点が有る。
【００１０】
そこで、これらの問題を解消するために、本願出願人は、先に、これらを改良した蓋体開閉機構及びそれを備えた記録再生装置を発明し、特開平９−２２３３８６号公報に開示した。
【００１１】
上記の蓋体開閉機構及びそれを備えた記録再生装置９０は、図１７（ａ）（ｂ）（ｃ）に示すように、キャビネット９４の上部内壁と、ＭＤ９１の挿入完了位置に配されたディスクホルダー９７との間には、蓋体９５が仰臥し得る程度の間隙９３が設定されている。蓋体９５の側面部に設けられた蓋体保持部９２には、蓋体９５からその長手方向に突設された第１ガイドピン９５ｂと第２ガイドピン９５ｃとが各々摺動する第１ガイド溝９２ｂと第２ガイド溝９２ｃとが形成されている。
【００１２】
上記の蓋体開閉機構では、各ガイドピン９５ｂ・９５ｃを各ガイド溝９２ｂ・９５ｃに沿って案内することにより、蓋体９５は、キャビネット９４の内壁に沿うような略弧状の軌跡を描いて、その上縁部から上記間隙９３に進入する。蓋体９５にこのような移動軌跡を取らせることで、記録媒体を挿入する記録再生装置９０の開口部９４ａを、記録媒体の装着状態の如何によらず蓋体９５で閉状態とし、かつ記録再生装置９０のキャビネット９４を小型化することが可能となっている。
【００１３】
【発明が解決しようとする課題】
しかしながら、上記従来の蓋体開閉機構及びそれを備えた記録再生装置９０では、キャビネット９４の上部内壁と、ＭＤ９１の挿入完了位置に配されたディスクホルダー９７との間に、蓋体９５を仰臥し得る程度の間隙９３が必要となるため、ＭＤ９１の挿入完了位置の上部が遊びの空間なり、記録再生装置９０の厚さが大きくなるという問題点を有している。
【００１４】
特に、ＭＤに関する記録再生装置は携帯用として使用されるため、極力、装置の薄型化及びコンパクト化が望まれており、この問題は重要である。
【００１５】
本発明は、上記従来の問題点に鑑みなされたものであって、その目的は、記録媒体の装着時・非装着時に係わらず開口部を閉蓋状態とし、装置を薄くして小型化を図り得る蓋体開閉機構及びそれを備えた記録再生装置を提供することにある。
【００１６】
【課題を解決するための手段】
本発明に係る蓋体開閉機構は、上記課題を解決するために、例えばＭＤ等の記録媒体を内蔵したケースを挿入する開口部が筐体に形成され、開口部を開閉する蓋体が、開口部の筐体内側に備えられていると共に、筐体内に挿入され終えた挿入完了位置にあるケースを記録再生可能位置にて記録再生駆動部により記録再生するように構成された記録再生装置の蓋体開閉機構において、上記開口部の裏面側には、挿入完了位置にあるケースに対して挿入完了位置よりも開口部側かつ記録再生駆動部側に間隙が設定されており、上記開口部から挿入されるケースと当接する蓋体を、ケースの挿入による当接力によって、上記間隙により近い蓋体の辺縁部から先に間隙内に進入させる案内手段を備えていることを特徴としている。
【００１７】
上記の発明によれば、例えば、開口部が形成された筐体の面を前面とし、前面から曲折する上面を考えると、上記ケースは、前面に交差するように開口部から挿入され挿入完了位置を経て記録再生位置に配されることになる。
【００１８】
従来の蓋体開閉機構では、蓋体上縁部に回動軸を設け、蓋体下縁部を回動端として回動させて蓋体を間隙内に導く構成や、挿入完了位置と筐体の上面内壁との間に挿入すべく間隙を設ける構成であったので、筐体を薄型にすることが困難であった。
【００１９】
しかし、本発明では、この開口部の裏面側には、挿入完了位置にあるケースに対して挿入完了位置よりも開口部側かつ記録再生駆動部側に間隙が設定されている。
【００２０】
また、開口部の筐体内側に備えられた蓋体は、開蓋時には上記間隙により近い辺縁部、つまり蓋体の下辺縁部から間隙内に収容される。従って、蓋体の回動半径によって定まる従来の移動領域と比べて、蓋体の厚みで定まる本発明の移動領域はより小さくなる。また、ケースの挿入完了位置と筐体上面との間に遊びの空間を設ける必要がない。
【００２１】
この結果、装置を薄くして小型化を図り得る蓋体開閉機構を提供することができる。
【００２２】
本発明に係る蓋体開閉機構は、上記課題を解決するために、上記の蓋体開閉機構において、上記ケースの挿入完了位置と記録再生可能位置とが一致していると共に、ケースが挿入完了位置に到達したときに、上記蓋体の間隙への進入軌跡に沿って蓋体を逆動させ、開口部を閉状態とする付勢手段を備えていることを特徴としている。
【００２３】
即ち、従来の記録再生装置では、記録再生可能位置が挿入完了位置よりも筐体の下側になるものがある。この場合、挿入完了位置と記録再生可能位置との間に、距離が必要となるので、記録再生装置の薄型化に対して障害となる。
【００２４】
しかし、本発明では、挿入完了位置が記録再生可能位置に一致している。このため、挿入完了位置と記録再生可能位置との間に距離を設ける必要がない。この結果、記録再生装置を薄型化することが可能となる。
【００２５】
また、本発明では、ケースが挿入完了位置に到達したときに、上記蓋体の間隙への進入軌跡に沿って蓋体を逆動させ、開口部を閉状態とする付勢手段を備えている。このため、ケースの装着・非装着に係わらず、常に開口部を閉状態として、埃や異物等の侵入から記録再生装置を充分に保護する蓋体開閉機構を提供することができる。
【００２６】
本発明に係る蓋体開閉機構は、上記課題を解決するために、上記の蓋体開閉機構において、上記案内手段は、上記蓋体の長手方向両端の各側面部に、上記長手方向と平行に突出して形成された第１ガイドピン及び第２ガイドピンと、各ガイドピンを嵌入させて蓋体の移動を案内するガイド溝が形成され、対向状態で上記筐体に設けられた１対の蓋体保持部とを備え、上記ガイド溝の内、第１ガイドピンに対応する第１ガイド溝よりも第２ガイドピンに対応する第２ガイド溝が上記間隙に近い側で、上記ケースの挿入方向と略直角に形成される一方、ケースが上記間隙内に進入する際の第２ガイドピンに対する第１ガイドピンの相対的な移動が、第２ガイドピンを中心とした回動となるように、第１ガイド溝及び第２ガイド溝が形成されていることを特徴としている。
【００２７】
上記の発明によれば、第１ガイドピンに対応する第１ガイド溝よりも第２ガイドピンに対応する第２ガイド溝が上記間隙に近い側にあるので、第２ガイド溝が主に蓋体の下辺縁部を案内し、第１ガイド溝が主に蓋体の上辺縁部を案内する。
【００２８】
また、第２ガイド溝は、上記ケースの挿入方向と略直角に形成されているので、蓋体の長手方向両端に形成された第２ガイドピンが、それぞれの第２ガイド溝を摺動することにより、蓋体の下辺縁部は、ケースの挿入方向と略垂直に間隙内に引き込まれるように移動する。
【００２９】
一方、各第１ガイド溝は、第１ガイドピンの相対的な移動が、第２ガイドピンを中心とした回動となるように形成されているので、蓋体の下辺縁部は、開口部の裏面側から上記筐体の内壁に沿う略弧状の軌跡を描くように、蓋体の下辺縁部の後から間隙内に進入する。蓋体の下縁部及び上縁部が、間隙内に上記のように案内されることにより、蓋体全体としても、略弧状の進入軌跡を描いて移動する。
【００３０】
このように、蓋体の長手方向両端の各側面部にガイドピンを突設し、ガイドピンの移動を案内するガイド溝を各ガイドピンに対応付けて蓋体保持部に形成するといった簡単な構成で、蓋体の移動領域を最も小さくする略弧状の軌跡を描いて、蓋体を開口部と間隙との間で移動させることができる。
【００３１】
本発明に係る蓋体開閉機構は、上記課題を解決するために、上記の蓋体開閉機構において、上記ケースの挿入開始時に、第２ガイド溝における第２ガイドピンの移動開始方向よりも筐体内側へ第１ガイドピンが移動できるように、第１ガイド溝の溝幅が、局部的に円弧状に広げられていると共に、この円弧はケースの挿入開始時に蓋体が大きく傾き、かつ挿入終了時に近づくに伴い蓋体が小さく傾くように形成されていることを特徴としている。
【００３２】
上記の発明によれば、第１ガイド溝の溝幅は、ケースの挿入開始時に、第２ガイド溝における第２ガイドピンの移動開始方向よりも筐体内側へ第１ガイドピンが移動できるように、局部的に円弧状に広げられている。
【００３３】
このため、ケースの挿入開始時におけるケースの蓋体への押圧によって、下方移動する蓋体の上辺縁部がこの円弧状に沿って傾斜する。従って、ケースの挿入角度に対して蓋体が直交するように閉蓋されている場合においても、ケースの挿入開始時には、蓋体を容易に傾斜してケースを抵抗なく挿入することができる。
【００３４】
一方、本発明では、さらに、この円弧はケースの挿入開始時に蓋体が大きく傾き、かつ挿入終了時に近づくに伴い蓋体が小さく傾くように形成されている。
【００３５】
即ち、最終的には、蓋体を間隙内に収容する必要があり、収容に際しては蓋体を立設状態にして収容したほうが、間隙幅が大きくならない。
【００３６】
しかし、本発明では、上記のように第１ガイド溝の溝幅が形成されているので、間隙幅を小さくし、記録再生装置をケースの挿入方向に薄くして小型化を図り得る蓋体開閉機構を提供することができる。
【００３７】
本発明に係る蓋体開閉機構は、上記課題を解決するために、上記の蓋体開閉機構において、上記蓋体を上記間隙により近い蓋体の辺縁部から先に間隙内に進入させるに際して、蓋体における長手方向の両端共を均一に進入させる進入均一化手段が設けられていることを特徴としている。
【００３８】
即ち、上記蓋体を上記間隙により近い蓋体の辺縁部から先に間隙内に進入させるに際して、蓋体の一部を引っ張るように間隙内に進入させたのでは、蓋体における長手方向で偏心した状態で進入するおそれがある。
【００３９】
しかし、本発明では、蓋体を上記間隙により近い蓋体の辺縁部から先に間隙内に進入させるに際して、進入均一化手段が蓋体における長手方向の両端共を均一に進入させる。
【００４０】
この結果、蓋体が均一に安定して間隙に進入するので、蓋体開閉機構の品質の向上を図ることができる。
【００４１】
本発明に係る記録再生装置は、上記課題を解決するために、例えばＭＤ等の記録媒体を内蔵したケースを挿入する開口部が筐体に形成され、開口部を開閉する蓋体が、開口部の筐体内側に備えられていると共に、筐体内に挿入され終えた挿入完了位置にあるケースを記録再生可能位置にて記録再生駆動部により記録再生するように構成された記録再生装置において、上記開口部の裏面側には、挿入完了位置にあるケースに対して挿入完了位置よりも開口部側かつ記録再生駆動部側に間隙が設定されており、上記開口部から挿入されるケースと当接する蓋体を、ケースの挿入による当接力によって、上記間隙により近い蓋体の辺縁部から先に間隙内に進入させる案内手段を備えている蓋体開閉機構と、上記ケースを開口部と挿入完了位置との間で進退させると共に、挿入完了位置と記録再生可能位置との間で移動させる媒体脱着機構と、上記筐体から露出して設けられた操作部に連接され、上記ケースが記録再生可能位置にあるときに、操作者により操作された操作部の移動ストロークに対応して、上記蓋体開閉機構に係合した状態で、蓋体開閉機構に蓋体の開移動を行わせると共に、上記媒体脱着機構に係合した状態で、媒体脱着機構にケースの排出動作を行わせる係合部材とを備えていることを特徴としている。
【００４２】
上記の発明によれば、蓋体を開閉する蓋体開閉機構と、ケースを記録再生装置に対して脱着する媒体脱着機構と、操作者が操作する操作部との三者が、係合部材を仲介として機構的に連動し、記録再生可能位置に配されたケースを筐体外に排出させることができる。即ち、操作部の操作ひとつで、開口部を開き、ケースを記録再生可能位置から挿入完了位置及び開口部を経て筐体外へ排出する一連の動作を、機構的な係合関係で行わせることができる。
【００４３】
これにより、蓋体開閉機構の蓋体開閉動作、或いは媒体脱着機構のケース脱着動作を行わせるための専用の駆動源を別途備える必要が無い。また、駆動源の駆動力を蓋体開閉機構や媒体脱着機構に伝達するための伝達機構を別途設ける必要も無い。従って、駆動源や伝達機構を設けなくて済む分、記録再生装置の小型化もしくは薄型化、並びに軽量化を図ることができる。
【００４４】
また、本発明では、蓋体が開蓋時に収容される間隙は、開口部の裏面側における、挿入完了位置にあるケースに対して挿入完了位置よりも開口部側かつ記録再生駆動部側に間隙が設定されているので、特に、記録再生装置の薄型化及び小型化を図ることができる。
【００４５】
【発明の実施の形態】
〔実施の形態１〕
本発明の実施の一形態について図１ないし図７に基づいて説明すれば、以下のとおりである。
【００４６】
本実施の形態で説明する記録再生装置は、ＭＤと呼ばれる光磁気記録媒体を対象としているが、例えば、３．５インチＦＤやカセットテープ、或いはＭＯディスク等のようにハードカートリッジ（ケース）に外装された記録媒体であれば同様の蓋体開閉機構を適用することができる。
【００４７】
尚、上記記録再生装置の蓋体開閉機構に関する部分を除く構成、例えば、記録媒体の装着や記録・再生に関する機構等の構成については従来と同じであるので、これらの点については、上記説明で必要となる部分に関してその都度説明するだけに留める。
【００４８】
本実施の形態の蓋体開閉機構を備えた記録再生装置１は、図２に示すように、ＭＤ２よりも少し大きめの薄型の略直方体の筐体としてのキャビネット３を有しており、その前面に、ＭＤ２を挿入するための開口部３ａが設けられ、その開口部３ａには開閉自在の蓋体１１が設けられている。
【００４９】
上記の記録再生装置１の内部には、図３（ａ）（ｂ）（ｃ）に示すように、挿入される上記ＭＤ２を挿入完了位置かつ記録再生位置にて保持するディスクホルダー４が設けられていると共に、その下部には上記ＭＤ２を記録再生するための記録再生駆動部５が設けられている。この記録再生駆動部５は、図示しない光ピックアップや駆動モータ等を有している。
【００５０】
即ち、本実施の形態の記録再生装置１では、上述したように、ＭＤ２の挿入完了位置と記録再生位置とが同じ位置となっている。従って、ＭＤ２を挿入完了位置まで挿入すれば、その位置でＭＤ２の記録再生が行えるようになっている。
【００５１】
一方、上記の蓋体１１は、蓋体開閉機構１０によって、開閉するものとなっている。
【００５２】
蓋体開閉機構１０は、図４に示すように、蓋体１１を長手方向の両翼で上下移動可能に保持する案内手段としての蓋体保持部１２・１２を有すると共に、蓋体１１と連接された同案内手段としての蓋体開閉レバー１３が回動軸１３ａを中心として回動可能に軸支されている構成である。
【００５３】
蓋体開閉機構１０を構成する各部材についてさらに詳細に述べる。尚、図２及び図４に示された矢印Ａ〜Ｈ方向は、次のように定義される。上記開口部３ａが形成された記録再生装置１の面を前面かつ正面として、矢印Ａ方向を記録再生装置１の前方、矢印Ｂ方向を記録再生装置１の後方、矢印Ｃ方向を記録再生装置１の上方、矢印Ｄ方向を記録再生装置１の下方、矢印Ａ方向を記録再生装置１の後方に向かって左側方、矢印Ｂ方向を記録再生装置１の後方に向かって右側方、矢印Ｈ方向を上記Ｆ方向に向かって時計回り、矢印Ｇ方向を上記Ｆ方向に向かって反時計回りとする。また、Ａ−Ｂ方向、Ｃ−Ｄ方向、Ｅ−Ｆ方向は、互いに直交関係にある。但し、他の図面においては、上記Ａ〜Ｆ方向における各方向の整合性は必ずしもない。
【００５４】
先ず、図４に示すように、蓋体１１には、矢印Ａ方向側の面、即ち前面に、上下に延びかつ矢印Ａ方向に突出した二条の凸部１１ａ・１１ａが蓋体１１の面に沿って形成されている。また、蓋体１１における矢印Ｅ−Ｆ方向の両側部からは、矢印Ｅ−Ｆ方向の両方向に突出する第１ガイドピン１１ｂ・１１ｂと第２ガイドピン１１ｃ・１１ｃとがそれぞれ形成されている。
【００５５】
各蓋体保持部１２・１２には、上下方向に直線状に穿設されかつ上記第１ガイドピン１１ｂ・１１ｂが摺動可能に挿通する第１ガイド溝１２ｂ・１２ｂと、第１ガイド溝１２ｂ・１２ｂの下端部１２ｂ1 ・１２ｂ1 の下方位置に少し離れて、これら第１ガイド溝１２ｂ・１２ｂに対して下端が少し矢印Ａ方向へ傾斜するように穿設された第２ガイド溝１２ｃ・１２ｃとが形成されている。これら第２ガイド溝１２ｃ・１２ｃには、第２ガイドピン１１ｃ・１１ｃが摺動可能に挿入されている。
【００５６】
尚、これら第２ガイド溝１２ｃ・１２ｃは、必ずしも傾斜させる必要はなく、立設状態に形成することも可能である。また、上記の各ガイド溝１２ｂ・１２ｃ及び各ガイドピン１１ｂ・１１ｃも、本発明の案内手段を構成している。
【００５７】
一方、図５（ｂ）に示すように、開口部３ａの裏面側には、挿入完了位置にあるＭＤ２に対して挿入完了位置よりも開口部３ａ側かつ記録再生駆動部５側に間隙６が設定されている。そして、上記の蓋体１１は、後述するように、外部から挿入されるＭＤ２と当接することにより、このＭＤ２の挿入による当接力によって、間隙６により近い蓋体１１の下辺縁部１１ｄから先に間隙６内に進入するものとなっている。
【００５８】
一方、図４に示すように、上記蓋体開閉レバー１３は、略くの字状に形成され、その中央に上記の回動軸１３ａを有している。また、蓋体開閉レバー１３の矢印Ｆ方向の端部には駆動部１３ｃが形成される一方、矢印Ｅ方向の端部には、蓋体１１に係合する蓋体係合部１３ｂが設けられている。この蓋体開閉レバー１３は、図示しない付勢手段としてのバネやスプリング等の弾性部材にて反時計方向に付勢されている。この結果、蓋体１１は絶えず上方移動するように付勢されている。
【００５９】
上記の蓋体開閉機構１０におけるＭＤ２を装着するときの蓋体１１の開閉動作について、以下に説明する。
【００６０】
先ず、ＭＤ２が記録再生装置１に未装着のときは、図１（ａ）に示すように、蓋体１１はその上下縁部が開口部３ａに密着状態となり、蓋体１１における全閉状態となっている。この状態から、ＭＤ２を装着すべく、ＭＤ２を開口部３ａに向けて矢印Ｂ方向に挿入する。
【００６１】
次いで、図１（ｂ）に示すように、ＭＤ２の矢印Ｂ方向先端部を蓋体１１の凸部１１ａに当接させて、蓋体１１を矢印Ｂ方向に押圧すると、凸部１１ａに形成されている傾斜により、第１ガイドピン１１ｂ及び第２ガイドピン１１ｃが、それぞれ第１ガイド溝１２ｂ及び第２ガイド溝１２ｃに沿って案内され、下方移動する。
【００６２】
即ち、上記蓋体１１における凸部１１ａは、傾斜状態に形成されているので、ＭＤ２の凸部１１ａへの当接及び押圧によって、下方への分力が作用し、蓋体１１に下方への移動力が働く。このため、ＭＤ２をさらに挿入移動させると、蓋体１１が第１ガイドピン１１ｂ及び第２ガイドピン１１ｃを介して第１ガイド溝１２ｂ及び第２ガイド溝１２ｃに沿って下方移動することになる。この結果、凸部１１ａの傾斜は、矢印Ａ−Ｂ方向に対して緩い程、下方移動し易くなる。
【００６３】
また、本実施の形態では、第１ガイド溝１２ｂが略垂直方向に穿設されているのに対して、第２ガイド溝１２ｃはこれよりも少し傾斜を有して穿設されている。さらに、蓋体１１は蓋体開閉レバー１３を介して図示しないバネ等にて上方向に付勢されている。このため、蓋体１１の下方への移動に際しては、下方に向かうに従って、逐次傾斜角度が緩くなるように移動するようになっている。
【００６４】
次いで、図１（ｃ）に示すように、ＭＤ２をさらに挿入すると、ＭＤ２と蓋体１１の凸部１１ａとの摺動により、やがて、ＭＤ２は蓋体１１の上辺縁部１１ｅを摺動しながら通過する。このとき、上記第１ガイドピン１１ｂ及び第２ガイドピン１１ｃは、第１ガイド溝１２ｂ及び第２ガイド溝１２ｃの各最下端位置にまで到達している。
【００６５】
次いで、図１（ｄ）に示すように、ＭＤ２を矢印Ｂ方向にさらに押圧して、ＭＤ２の後端が開口部３ａを越えると、図示しないＭＤ装着機構により、ＭＤ２がディスクホルダー４の奥へ引き込まれる。そして、ＭＤ２と蓋体１１の上辺縁部１１ｅとの係合が外れると、蓋体１１は前記弾性部材により、第１ガイドピン１１ｂ及び第２ガイドピン１１ｃの第１ガイド溝１２ｂ及び第２ガイド溝１２ｃに沿う案内移動により、上方移動し、元の閉蓋状態に戻る。そして、同図（ｄ）に示す位置にてＭＤ２はディスクホルダー４内に完全に収納され、挿入完了位置となると共に、その位置が記録再生可能位置となる。これにより、図５（ａ）（ｂ）（ｃ）にも示すように、ＭＤ２の装着が完了する。
【００６６】
このように蓋体１１は、ＭＤ２の非装着状態のみならず、装着状態においても全閉可能とされているので、ＭＤ２の装着又は非装着に係わらず埃や異物等の侵入を防止できる。
【００６７】
次に、ＭＤ２を取り出す場合の蓋体開閉機構１０の動作を、図５（ａ）（ｂ）（ｃ）に基づいて説明する。
【００６８】
先ず、ＭＤ２が装着されているときは、図５（ａ）に示すように、蓋体１１は全閉状態とされている。この状態から、ユーザが図示しないイジェクト操作手段を作動させると、蓋体開閉レバー１３の駆動部１３ｃが図示しないイジェクト機構により反時計方向の付勢を受けて、図示しないバネの付勢力に抗して、回動軸１３ａを中心にして反時計方向に回動し始める。
【００６９】
その結果、蓋体係合部１３ｂが反時計方向に回動し、これに伴って、蓋体１１は下方移動し、蓋体１１が全開状態となる。
【００７０】
上記全開状態でさらに図示しないイジェクト操作手段を操作すると、イジェクト機構は、ＭＤ２を矢印Ｄ方向に排出させるので、ＭＤ２の一部が開口部３ａよりも外部に突出する。
【００７１】
次いで、ユーザがこのＭＤ２を掴んで、開口部３ａより取り出せば、ＭＤ２の下面による蓋体１１の拘束状態が解除されるので、図示しないバネにより蓋体開閉レバー１３に加えられた時計方向の付勢力により、蓋体１１が再び開口部３ａを全閉状態とする。
【００７２】
つまり、記録再生可能位置かつ挿入完了位置にあるＭＤ２を排出させるときに、ユーザによるイジェクト操作に機構的に連動させて、蓋体１１を開放してＭＤ２の取り出しを可能とし、さらに、ＭＤ２を完全に取り出せば、蓋体１１を全閉状態とすることができる。尚、イジェクト機構及びＭＤ２の装着機構と蓋体１１とを連動させる機構については、後述の実施の形態２で詳しく説明する。
【００７３】
このように、本実施の形態の蓋体開閉機構１０を有する記録再生装置１では、ＭＤ２は、前面に交差するように開口部３ａから挿入され挿入完了位置かつ記録再生位置に配されることになる。
【００７４】
ところで、従来の蓋体開閉機構では、蓋体上縁部に回動軸を設け、蓋体下縁部を回動端として回動させて蓋体を間隙内に導く構成や、挿入完了位置とキャビネット３の上面内壁との間に挿入すべく間隙を設ける構成であったので、キャビネット３を薄型にすることが困難であった。
【００７５】
しかし、本実施の形態では、開口部３ａの裏面側には、挿入完了位置にあるＭＤ２に対して挿入完了位置よりも開口部３ａ側かつ記録再生駆動部５側に間隙６が設定されている。
【００７６】
また、開口部３ａのキャビネット３内側に備えられた蓋体１１は、開蓋時には上記間隙６により近い辺縁部、つまり蓋体１１の下辺縁部１１ｄから間隙６内に収容される。従って、蓋体１１の回動半径によって定まる従来の移動領域と比べて、蓋体１１の厚みで定まる本実施の形態の移動領域はより小さくなる。また、ＭＤ２の挿入完了位置とキャビネット３の上面との間に遊びの空間を設ける必要がない。
【００７７】
この結果、記録再生装置１を薄くして小型化を図り得る蓋体開閉機構１０を提供することができる。
【００７８】
一方、従来の記録再生装置では、例えば、記録再生可能位置が挿入完了位置よりもキャビネット３の下側になる構成のものがある。この場合、挿入完了位置と記録再生可能位置との間に、距離が必要となるので、記録再生装置１の薄型化に対して障害となる。
【００７９】
しかし、本実施の形態では、挿入完了位置が記録再生可能位置に一致している。このため、挿入完了位置と記録再生可能位置との間に距離を設ける必要がない。この結果、記録再生装置１を薄型化することが可能となる。
【００８０】
また、本実施の形態では、ＭＤ２が挿入完了位置に到達したときに、蓋体１１の間隙６への進入軌跡に沿って蓋体１１を逆動させ、開口部３ａを閉状態とする蓋体開閉レバー１３を備えている。このため、ＭＤ２の装着又は非装着に係わらず、常に開口部３ａを閉状態として、埃や異物等の侵入から記録再生装置１を充分に保護する蓋体開閉機構１０を提供することができる。
【００８１】
また、本実施の形態の蓋体開閉機構１０では、第１ガイドピン１１ｂに対応する第１ガイド溝１２ｂよりも第２ガイドピン１１ｃに対応する第２ガイド溝１２ｃが間隙６に近い側にあるので、第２ガイド溝１２ｃが主に蓋体１１の下辺縁部１１ｄを案内し、第１ガイド溝１２ｂが主に蓋体１１の上辺縁部１１ｅを案内する。
【００８２】
また、第２ガイド溝１２ｃは、ＭＤ２の挿入方向と略直角に形成されているので、蓋体１１の長手方向両端に形成された第２ガイドピン１１ｃ・１１ｃが、それぞれの第２ガイド溝１２ｃ・１２ｃを摺動することにより、蓋体１１の下辺縁部１１ｄは、ＭＤ２の挿入方向と略垂直に間隙６内に引き込まれるように移動する。
【００８３】
一方、各第１ガイド溝１２ｂ・１２ｂは、第１ガイドピン１１ｂ・１１ｂの相対的な移動が、第２ガイドピン１１ｃ・１１ｃを中心とした回動となるように形成されているので、蓋体１１の下辺縁部１１ｄは、開口部３ａの裏面側からキャビネット３の内壁に沿う略弧状の軌跡を描くように、蓋体１１の下辺縁部１１ｄの後から間隙６内に進入する。そして、蓋体１１の下辺縁部１１ｄ及び上辺縁部１１ｅが、間隙６内に上記のように案内されることにより、蓋体１１全体としても、略弧状の進入軌跡を描いて移動する。
【００８４】
このように、蓋体１１の長手方向両端の各側面部に第１ガイドピン１１ｂ・１１ｂ及び第２ガイドピン１１ｃ・１１ｃを突設し、第１ガイドピン１１ｂ・１１ｂ及び第２ガイドピン１１ｃ・１１ｃの移動を案内する第１ガイド溝１２ｂ・１２ｂ及び第２ガイド溝１２ｃ・１２ｃを各第１ガイドピン１１ｂ・１１ｂ及び第２ガイドピン１１ｃ・１１ｃに対応付けて蓋体保持部１２・１２に形成するといった簡単な構成で、蓋体１１の移動領域を最も小さくする略弧状の軌跡を描いて、蓋体１１を開口部３ａと間隙６との間で移動させることができる。
【００８５】
また、本実施の形態では、ＭＤ２の挿入方向と略垂直に間隙６内に引き込まれるように蓋体１１が移動するに際して、この蓋体１１の移動は、開口部３ａの裏側において、キャビネット３の挿入側の内壁に沿った平行移動とすることが可能である。
【００８６】
これによって、蓋体１１の移動時における占有空間を低減することができるので、記録再生装置１の小型化及び薄型化が可能となる。
【００８７】
また、本実施の形態では、蓋体１１の凸部１１ａ・１１ａにおける傾斜を大きくとることが可能である。
【００８８】
これによって、ＭＤ２の挿入時における蓋体１１への当接及び押圧に際して、蓋体１１の下方移動を容易にすることができる。
【００８９】
尚、本発明は、上記の実施の形態に限定されるものではなく、本発明の範囲内で種々の変更が可能である。例えば、上記実施の形態では、第１ガイド溝１２ｂは、直線状に形成されていたが、特にこれに限定するものではなく、例えば、図６（ａ）（ｂ）に示すように、矢印Ｂ方向側に湾曲凹部となる第１ガイド溝２２ｂを形成することが可能である。
【００９０】
即ち、本実施の形態では、ＭＤ２を記録再生装置１に装着する際に、その挿入力で蓋体１１を下方に移動させるべく、蓋体１１に凸部１１ａを設け、その傾斜を大きくすることによって容易に蓋体１１を下方移動し得るものとなっている。
【００９１】
しかし、凸部１１ａの傾斜を大きくとるための空間が無い場合やデザイン上の制約がある場合もある。
【００９２】
このようなときに、上述した第１ガイド溝２２ｂを穿設することによって、容易に蓋体１１を下方移動させることができる。
【００９３】
即ち、この第１ガイド溝２２ｂでは、ＭＤ２が蓋体１１を押圧すると、蓋体１１が第２ガイドピン１１ｃを中心として傾斜しながら下方移動する。このため、ＭＤ２は容易に進入することが可能であり、蓋体１１の下方移動も容易である。
【００９４】
このように、本実施の形態では、第１ガイド溝２２ｂの溝幅は、ＭＤ２の挿入開始時に、第２ガイド溝１２ｃにおける第２ガイドピン１１ｃの移動開始方向よりもキャビネット３内側へ第１ガイドピン１１ｂが移動できるように、局部的に円弧状に広げることが可能である。
【００９５】
これによって、ＭＤ２ケースの挿入開始時におけるＭＤ２の蓋体１１への押圧によって、下方移動する蓋体１１の上辺縁部１１ｅがこの円弧状に沿って傾斜する。従って、ＭＤ２の挿入角度に対して蓋体１１が直交するように閉蓋されている場合においても、ＭＤ２の挿入開始時には、蓋体１１を容易に傾斜してＭＤ２を抵抗なく挿入することができる。
【００９６】
一方、本実施の形態では、さらに、この円弧はＭＤ２の挿入開始時に蓋体１１が大きく傾き、かつ挿入終了時に近づくに伴い蓋体１１が小さく傾くように形成されている。
【００９７】
即ち、最終的には、蓋体１１を間隙６内に収容する必要があり、収容に際しては蓋体１１を立設状態にして収容した方が、間隙６の幅が大きくならない。
【００９８】
この点、本実施の形態では、上記のように第１ガイド溝２２ｂの溝幅が形成されているので、間隙幅を小さくし、記録再生装置１をＭＤ２の挿入方向に薄くして小型化を図り得る蓋体開閉機構１０を提供することができる。
【００９９】
ところで、本実施の形態では、蓋体開閉レバー１３は、一つのレバーにて構成されていると共に、蓋体１１との蓋体係合部１３ｂが一点連結となっているので、蓋体１１の上下移動の安定性に欠けるおそれがある。そこで、例えば、図７に示すように、蓋体５１の開閉移動時の左右バランスを良好に保つために、蓋体開閉レバー５３に交差する蓋体同期レバー５２を設け、蓋体５１を二点支持することが可能である。尚、この構成については、後述する実施の形態３にて詳細に説明する。
【０１００】
〔実施の形態２〕
本発明の実施の他の形態について図８ないし図１０に基づいて説明すれば、以下のとおりである。尚、説明の便宜上、前記実施の形態１の図面に示した部材と同一の機能を有する部材には、同一の符号を付記して、その説明を省略する。
【０１０１】
本実施の形態では、記録再生装置に装着されたＭＤを排出させるために、操作者が操作するイジェクト機構と、実施の形態１で説明した蓋体開閉機構とを連動させる機構について説明する。
【０１０２】
先ず、前記図２に示すように、本実施の形態の記録再生装置１における開口部３ａが形成されたキャビネット３の側面には、操作部としてのイジェクトつまみ３１が設けられている。
【０１０３】
そして、操作者がこのイジェクトつまみ３１を回動操作することにより、図８（ａ）（ｂ）（ｃ）に示すように、イジェクト機構３０にて、蓋体１１が開蓋状態になると共に、ＭＤ２を開口部３ａから外に排出することができるものとなっている。
【０１０４】
上記のイジェクト機構３０は、同図（ａ）（ｂ）（ｃ）に示すように、上記のイジェクトつまみ３１と、キャビネット３の側面の裏側に固定されたイジェクトフレーム３２と、イジェクトつまみ３１の回動駆動力を蓋体開閉レバー１３に伝達するための係合部材としての連結レバー３３と、イジェクトつまみ３１の回動によりＭＤ２を記録再生位置から排出移動させるためのディスクイジェクトレバー３４等を有している。
【０１０５】
上記イジェクトフレーム３２には、キャビネット３の側面の矢印Ｃ−Ｄ方向の略中央にイジェクトつまみ３１が回動支点３１ａを中心に回動自在に取り付けられる一方、同図（ｂ）に示すように、キャビネット３の側面において、矢印Ｂ方向側に、つまりキャビネット３の底面近傍に、上記の連結レバー３３が回動支点３３ａを中心に矢印Ｇ−Ｈ方向に回動自在に取り付けられている。
【０１０６】
また、上記のイジェクトつまみ３１には、上部における矢印Ｃ方向の外周近傍位置に作用ピン３１ｂが設けられると共に、上部における矢印Ｄ方向の外周近傍位置に作用ピン３１ｃが設けられている。
【０１０７】
さらに、イジェクトつまみ３１は、図示しないバネによって、矢印Ｈ方向に付勢されている。
【０１０８】
一方、ディスクイジェクトレバー３４は、記録再生駆動部５に矢印Ｃ−Ｄ方向に移動自在に設けられ、その矢印Ｃ−Ｄ方向の略中央位置に作用部３４ａを有している。
【０１０９】
また、ディスクイジェクトレバー３４は、前記図示しないＭＤ装着機構と連動すると共に、挿入完了位置におけるＭＤ２に係合している。このＭＤ装着機構は、イジェクトつまみ３１の作用ピン３１ｂがこのディスクイジェクトレバー３４の作用部３４ａに係合してディスクイジェクトレバー３４を矢印Ｄ方向に移動させることにより、記録再生位置にあるＭＤ２を矢印Ｄ方向に移動させ、記録再生装置１の外部に排出するものとなっている。
【０１１０】
一方、上記の連結レバー３３は、矢印Ｃ−Ｄ方向に略くの字状に形成されており、その略中央に上記の回動支点３３ａが設けられている。この連結レバー３３の矢印Ｃ方向の端部には、立上げ部３３ｂが設けられており、その立上げ部３３ｂの上端には矢印Ｃ方向になだらかに折曲された折曲部３３ｃが形成されている。
【０１１１】
そして、この折曲部３３ｃは、上記イジェクトつまみ３１の作用ピン３１ｃに係合しており、イジェクトつまみ３１を操作しない状態では、作用ピン３１ｃは折曲部３３ｃに当接している。
【０１１２】
また、連結レバー３３の矢印Ｄ方向の端部には、作用部３３ｄが設けられており、前記蓋体開閉レバー１３の駆動部１３ｃに係合するようになっている。
【０１１３】
一方、上記蓋体開閉レバー１３は、図８（ｃ）に示すように、キャビネット３に固定された固定フレーム１４に回動軸１３ａにて軸支されている。また、蓋体開閉レバー１３は、図示しない別のバネによって、矢印Ｈ方向に付勢されている。さらに、前記実施の形態１で述べたように、蓋体開閉レバー１３の他端は蓋体係合部１３ｂにて蓋体１１と係合している。このため、蓋体１１は絶えず閉蓋状態を保持するようになっている。
【０１１４】
上記構成のイジェクト機構３０の動作について、以下に説明する。
【０１１５】
図８（ａ）（ｂ）（ｃ）に示すように、ＭＤ２がディスクホルダー４内の記録再生位置にあるときには、蓋体１１は閉蓋状態となっている。この状態においては、蓋体開閉レバー１３はバネにて矢印Ｈ方向に付勢されているので、上述したように、閉蓋状態を保持するようになっている。従って、この状態では、くの字状の蓋体開閉レバー１３は蓋体係合部１３ｂが上部に位置する一方、駆動部１３ｃがキャビネット３の略底面近傍の下端位置となっている。
【０１１６】
この駆動部１３ｃには、連結レバー３３の作用部３３ｄが係合している。このため、くの字状の連結レバー３３の他端にある立上げ部３３ｂの下端とキャビネット３の底面との間には、クリアランスが形成されている。また、立上げ部３３ｂの上端の折曲部３３ｃは、イジェクトつまみ３１の作用ピン３１ｃに当接している。
【０１１７】
ここで、イジェクトつまみ３１も矢印Ｈ方向に付勢されているので、イジェクトつまみ３１の作用ピン３１ｃの連結レバー３３の折曲部３３ｃへの当接においては、連結レバー３３の折曲部３３ｃは、自然状態では押し下がらないものとなっている。
【０１１８】
この状態から、イジェクトつまみ３１を矢印Ｇ方向に回動させると、連結レバー３３の折曲部３３ｃに当接している作用ピン３１ｃが折曲部３３ｃを押し下げる。このため、連結レバー３３は回動支点３３ａを中心にして矢印Ｈ方向に回動し、連結レバー３３の他端部の作用部３３ｄが持ち上がる。その結果、連結レバー３３におけるこの作用部３３ｄを介して、蓋体開閉レバー１３の駆動部１３ｃが矢印Ｃ方向に持ち上がる。この結果、蓋体開閉レバー１３が回動軸１３ａを中心として矢印Ｇ方向に回動するので、蓋体係合部１３ｂを介して蓋体１１が矢印Ｄ方向に移動して開蓋動作を始める。
【０１１９】
一方、このとき、イジェクトつまみ３１の外周近傍に設けられた作用ピン３１ｂも矢印Ｇ方向に回動し、やがて、図９（ａ）（ｂ）（ｃ）に示すように、作用ピン３１ｂがディスクイジェクトレバー３４に設けられた作用部３４ａに当接する。
【０１２０】
尚、この位置までの回動は、弱い力で容易に行うことができるものとなっている。そして、同図（ａ）（ｂ）（ｃ）の状態では、イジェクトつまみ３１の作用ピン３１ｃは、未だ、折曲部３３ｃに係合していると共に、折曲部３３ｃを一杯に押し下げた状態となっているので、蓋体１１は、連結レバー３３の作用部３３ｄ、蓋体開閉レバー１３の駆動部１３ｃ及び蓋体係合部１３ｂを介して矢印Ｄ方向一杯に下降移動して開蓋状態を維持している。
【０１２１】
次いで、この状態から、さらにイジェクトつまみ３１を先程よりもやや少し力をかけて回動させると、イジェクトつまみ３１の作用ピン３１ｂとディスクイジェクトレバー３４の作用部３４ａとの係合により、ディスクイジェクトレバー３４に矢印Ｄ方向の力が作用し、これによって、ＭＤ装着機構のディスクイジェクトレバー３４の作用部３４ａを矢印Ｄ方向に移動させて、記録再生位置にあるＭＤ２を装着解除する。これによって、ＭＤ２が矢印Ｄ方向に移動する。
【０１２２】
一方、このとき、連結レバー３３の折曲部３３ｃに係合していたイジェクトつまみ３１の作用ピン３１ｃは、イジェクトつまみ３１の瞬時の回動により、図１０（ａ）（ｂ）（ｃ）に示すように、折曲部３３ｃとの係合が外れると同時に、連結レバー３３の立上げ部３３ｂの根元まで移動する。このため、連結レバー３３の立上げ部３３ｂの下端部は、キャビネット３の底面近くの位置を維持する。
【０１２３】
このため、連結レバー３３は回動変化しないので、蓋体１１が開蓋状態を維持する。
【０１２４】
この結果、ＭＤ２は、蓋体１１に阻止されることなく、キャビネット３外に突出され、その後、操作者がその一端を掴んで記録再生装置１の外へ排出することができる。
【０１２５】
このように、本実施の形態の記録再生装置１では、蓋体１１を開閉する蓋体開閉機構１０と、ＭＤ２を記録再生装置１に対して脱着する媒体脱着機構と、操作者が操作するイジェクトつまみ３１との三者が、連結レバー３３を仲介として機構的に連動し、記録再生可能位置に配されたＭＤ２をキャビネット３外に排出させることができる。即ち、イジェクトつまみ３１の操作一つで、開口部３ａを開き、ＭＤ２を記録再生可能位置から開口部３ａを経てキャビネット３外へ排出する一連の動作を、機構的な係合関係で行わせることができる。
【０１２６】
これにより、蓋体開閉機構１０の蓋体開閉動作、或いは媒体脱着機構のＭＤ２着脱動作を行わせるための専用の駆動源を別途備える必要が無い。また、駆動源の駆動力を蓋体開閉機構１０や媒体脱着機構に伝達するための伝達機構を別途設ける必要も無い。従って、駆動源や伝達機構を設けなくて済む分、記録再生装置１の小型化若しくは薄型化、並びに軽量化を図ることができる。
【０１２７】
〔実施の形態３〕
本発明の実施の他の形態について図１１ないし図１４に基づいて説明すれば、以下のとおりである。尚、説明の便宜上、前記実施の形態１及び実施の形態２の図面に示した部材と同一の機能を有する部材には、同一の符号を付記して、その説明を省略する。
【０１２８】
本実施の形態では、実施の形態１で少し述べた蓋体１１を二点支持して上下移動させる蓋体同期安定機構と操作者が操作するイジェクト機構とを連動させる機構について説明する。
【０１２９】
本実施の形態の蓋体開閉機構５０は、図１１に示すように、前記実施の形態１で示した蓋体１１に対して下辺縁部１１ｄに設けた蓋体係合部５１ｅ・５１ｅが矢印Ｅ−Ｆ方向の２箇所に設けられた蓋体５１を有している。上記の蓋体係合部５１ｅ・５１ｅには、それぞれ蓋体係合孔５１ａ・５１ａが穿設されている。尚、蓋体５１のその他の構造は、前記蓋体１１と同じである。従って、蓋体５１の長手方向の両翼で蓋体５１を上下移動可能に保持する蓋体保持部１２・１２も前記実施の形態１で示したものと同じ構造である。
【０１３０】
一方、上記蓋体５１の下方には、略くの字状に形成された蓋体開閉レバー５３が設けられると共に、この蓋体開閉レバー５３に交差する蓋体同期レバー５２が略くの字状に形成されて上記蓋体開閉レバー５３と左右対称形状に設けられている。
【０１３１】
上記蓋体開閉レバー５３の中心には回動軸５３ｃが矢印Ｂ方向に設けられる一方、蓋体同期レバー５２の中心には貫通孔５２ｃが穿設されている。そして、上記の蓋体開閉レバー５３の回動軸５３ｃはこの貫通孔５２ｃに貫通されており、これによって、蓋体開閉レバー５３及び蓋体同期レバー５２は、回動軸５３ｃを中心として互いに回動自在となっている。
【０１３２】
また、蓋体開閉レバー５３の上端部及び下端部には作用ピン５３ａ・５３ｂがそれぞれ設けられる一方、蓋体同期レバー５２の上端部及び下端部にも作用ピン５２ａ・５２ｂがそれぞれ設けられている。
【０１３３】
上記の蓋体開閉レバー５３及び蓋体同期レバー５２の矢印Ｂ方向側には固定フレーム５４と同期連結レバー５５とが順に設けられている。
【０１３４】
上記の固定フレーム５４は、前記キャビネット３に固定されている。また、固定フレーム５４には、下部に２ヵ所の横溝５４ｂ・５４ｂが穿設されると共に、中央に縦溝５４ｃが穿設されている。
【０１３５】
一方、同期連結レバー５５には、２つの横溝５５ｄ・５５ｄが穿設されており、上記固定フレーム５４に形成されたピン５４ｄ・ピン５４ｄが通され、これによって、同期連結レバー５５は、矢印Ｅ−Ｆ方向に移動自在となっている。また、同期連結レバー５５に中央位置には、斜め溝５５ｃが穿設されており、前記蓋体開閉レバー５３の回動軸５３ｃが上記固定フレーム５４の縦溝５４ｃを通してこの斜め溝５５ｃに通されるようになっている。
【０１３６】
また、前記蓋体開閉レバー５３の作用ピン５３ａ・５３ｂ及び蓋体同期レバー５２の作用ピン５２ａ・５２ｂは、それぞれ固定フレーム５４の横溝５４ｂ・５４ｂ及び蓋体５１における蓋体係合部５１ｅ・５１ｅの蓋体係合孔５１ａ・５１ａに通されている。
【０１３７】
この結果、同期連結レバー５５が矢印Ｆ方向に移動すると、同期連結レバー５５の斜め溝５５ｃに通された蓋体開閉レバー５３の回動軸５３ｃが斜め溝５５ｃに案内されて上方へ移動する。これによって、蓋体開閉レバー５３及び同期連結レバー５５の上端がそれぞれ持ち上がるので、作用ピン５２ａ・５２ｂが上方移動し、蓋体５１を持ち上げる。このため、下方にあった蓋体５１が上方移動して開口部３ａを閉じる。
【０１３８】
逆に、同期連結レバー５５を矢印Ｅ方向に移動すると、全く逆の動作で、同期連結レバー５５の斜め溝５５ｃに通された蓋体開閉レバー５３の回動軸５３ｃが斜め溝５５ｃに案内されて下方へ移動する。この結果、蓋体開閉レバー５３及び同期連結レバー５５の上端がそれぞれ持ち下がるので、作用ピン５２ａ・５２ｂが下方移動し、蓋体５１を持ち下げる。このため、上方にあった蓋体５１が下方移動して開口部３ａを開ける。
【０１３９】
尚、上記の同期連結レバー５５が矢印Ｅ−Ｆ方向に移動するのは、同期連結レバー５５の矢印Ｆ方向の端部に形成された駆動部５５ａに、以下に述べるイジェクト機構６０が作用するためである。
【０１４０】
上記のイジェクト機構６０について説明する。
【０１４１】
本実施の形態のイジェクト機構６０は、図１２（ａ）（ｂ）（ｃ）に示すように、イジェクトつまみ６１と、キャビネット３の側面の裏側に固定されたイジェクトフレーム６２と、このイジェクトフレーム６２の内側でイジェクトフレーム６２に沿って移動自在にスライドするスライドレバー６５と、イジェクトつまみ６１の回動駆動力を上記スライドレバー６５を介して蓋体開閉レバー５３に伝達するための連結レバー６３と、イジェクトつまみ６１の回動によりＭＤ２を記録再生位置から排出移動させるためのディスクイジェクトレバー６４等を有している。
【０１４２】
上記イジェクトフレーム６２には、キャビネット３の側面の矢印Ｃ−Ｄ方向の略中央にイジェクトつまみ６１が回動支点６１ａを中心に回動自在に取り付けられる一方、キャビネット３の側面の矢印Ｄ方向側に上記の連結レバー６３が回動支点６３ａを中心に回動自在に取り付けられている。
【０１４３】
また、イジェクトフレーム６２における矢印Ｄ方向の端部の下側には、上記の連結レバー６３が、回動支点６３ａを中心として同図（ａ）において矢印Ｇ−Ｈ方向に回動自在に設けられている。
【０１４４】
また、上記のイジェクトつまみ６１には、上部におけるやや矢印Ｃ方向の外周近傍位置に作用ピン６１ｂが設けられている。
【０１４５】
上記のスライドレバー６５には、矢印Ｃ−Ｄ方向の両側に横溝６５ａ・６５ａが穿設されており、これら横溝６５ａ・６５ａに、イジェクトフレーム６２に形成された作用ピン６２ａ・６２ａが通されることによって、スライドレバー６５は、矢印Ｃ−Ｄ方向に移動自在となっている。
【０１４６】
また、スライドレバー６５は、矢印Ｃ−Ｄ方向の略中央位置の上側において、内側つまり矢印Ａ方向に突出する駆動部６５ｂを有している。
【０１４７】
さらに、スライドレバー６５は、下側における矢印Ｄ方向の端部に、外側になだらかに折曲する折曲部６５ｃを有している。
【０１４８】
この折曲部６５ｃは、スライドレバー６５の矢印Ｄ方向への移動によって、連結レバー６３に上側に突出して設けられた駆動ピン６３ｃに押圧係合することにより、上記連結レバー６３を回動支点６３ａを中心として、同図（ａ）において矢印Ｈ方向に回動するようになっている。
【０１４９】
また、このとき、連結レバー６３の矢印Ｄ方向の端部に設けられた作用ピン６３ｂが、前記同期連結レバー５５の駆動部５５ａを押圧係合するようになっており、これによって、蓋体５１の開蓋を可能とするものとなっている。
【０１５０】
さらに、連結レバー６３は、後述するように、同期連結レバー５５が閉蓋状態を保つべく、図示しない別のバネによって、矢印Ｂ方向に付勢されているので、この連結レバー６３は、通常は、キャビネット３の側面に接触する状態を維持するものとなっている。
【０１５１】
一方、上記のディスクイジェクトレバー６４は、記録再生駆動部５において矢印Ｃ−Ｄ方向に移動自在に設けられ、その矢印Ｃ−Ｄ方向の略中央位置に作用部６４ａを有している。
【０１５２】
そして、ディスクイジェクトレバー６４は、前記図示しないＭＤ装着機構と連動すると共に、挿入完了位置におけるＭＤ２に係合しており、このＭＤ装着機構は、スライドレバー６５の駆動部６５ｂがこのディスクイジェクトレバー６４の作用部６４ａに係合して矢印Ｄ方向に移動することにより、記録再生位置にあるＭＤ２を矢印Ｄ方向に移動させ、記録再生装置１の外部に排出するものとなっている。
【０１５３】
一方、図１２（ｃ）に示すように、上記蓋体開閉レバー５３及び蓋体同期レバー５２は、回動軸５３ｃにて回動自在となっていると共に、同期連結レバー５５は矢印Ｂ方向に図示しないバネによって付勢されている。従って、蓋体５１は閉蓋状態となるように付勢されている。
【０１５４】
上記構成のイジェクト機構６０の動作について、以下に説明する。
【０１５５】
図１２（ａ）（ｂ）（ｃ）に示すように、ＭＤ２がディスクホルダー４内の記録再生位置にあるときには、蓋体５１は閉蓋状態となっている。この状態においては、同期連結レバー５５はバネにて矢印Ｂ方向に付勢されており、蓋体開閉レバー５３及び同期連結レバー５５は、回動軸５３ｃが同期連結レバー５５の前記斜め溝５５ｃに案内されて上端に位置することにより、蓋体係合部５１ｅ・５１ｅが上部位置を保持している。
【０１５６】
また、同期連結レバー５５の駆動部５５ａは、イジェクト機構６０における連結レバー６３の作用ピン６３ｂを押圧して係合している。このため、連結レバー６３は、回動してキャビネット３の近傍に位置している。
【０１５７】
また、このとき、スライドレバー６５の折曲部６５ｃは、連結レバー６３の駆動ピン６３ｃに当接する一方、スライドレバー６５の駆動部６５ｂには、イジェクトつまみ６１の作用ピン６１ｂが当接している。
【０１５８】
また、スライドレバー６５は、図示しないバネによって、矢印Ｃ方向に付勢されている。このため、イジェクトつまみ６１も、スライドレバー６５の駆動部６５ｂ及びイジェクトつまみ６１の作用ピン６１ｂを介して矢印Ｈ方向に付勢されている。
【０１５９】
この状態から、イジェクトつまみ６１を矢印Ｇ方向に回動させると、イジェクトつまみ６１の作用ピン６１ｂがスライドレバー６５の駆動部６５ｂを矢印Ｄ方向に押圧する。これによって、やがて、図１３（ａ）（ｂ）（ｃ）に示すように、スライドレバー６５の駆動部６５ｂは、ディスクイジェクトレバー６４の作用部６４ａに当接する。
【０１６０】
一方、このときまでに、スライドレバー６５の折曲部６５ｃは、連結レバー６３の駆動ピン６３ｃを押圧する。
【０１６１】
このため、図１３（ａ）（ｂ）（ｃ）に示すように、連結レバー６３は、回動支点６３ａを中心として矢印Ｈ方向に回動する。このとき、連結レバー６３の駆動ピン６３ｃは回動支点６３ａの近くにあるため、この駆動ピン６３ｃを折曲部６５ｃにて押圧すると、連結レバー６３の端部の作用ピン６３ｂでは、大きな回動ストロークを発生する。
【０１６２】
この結果、連結レバー６３の作用ピン６３ｂに係合している同期連結レバー５５における駆動部５５ａを介して、同期連結レバー５５が矢印Ａ方向に移動する。これによって、図１１に示す蓋体開閉レバー５３の回動軸５３ｃが、矢印Ｅ方向に移動する同期連結レバー５５の斜め溝５５ｃに案内されて、下方移動する。
【０１６３】
この結果、蓋体開閉レバー５３の作用ピン５３ａ及び作用ピン５２ａが下方移動し、これに伴って、これら作用ピン５３ａ・５２ａが係合する蓋体５１の蓋体係合部５１ｅ・５１ｅが下方移動するので、図１３（ａ）（ｂ）（ｃ）に示すように、蓋体５１が開蓋状態となる。
【０１６４】
次いで、この状態から、さらにイジェクトつまみ６１を先程よりもやや少し力をかけて回動させると、イジェクトつまみ６１の作用ピン６１ｂを介してスライドレバー６５の駆動部６５ｂがディスクイジェクトレバー６４の作用部６４ａを押圧するので、ディスクイジェクトレバー６４に矢印Ｄ方向の力が作用し、これによって、ＭＤ装着機構のディスクイジェクトレバー６４の作用部６４ａを矢印Ｄ方向に移動させて、記録再生位置にあるＭＤ２を装着解除する。これによって、ＭＤ２が矢印Ｄ方向に移動する。
【０１６５】
一方、このとき、連結レバー６３の駆動ピン６３ｃに係合していたスライドレバー６５の折曲部６５ｃは、駆動ピン６３ｃに当接した状態でなお押圧を続けるので、連結レバー６３は、図１４（ａ）（ｂ）（ｃ）に示すように、矢印Ｈ方向への回動力を与え続ける。このため、連結レバー６３の作用ピン６３ｂは、同期連結レバー５５の駆動部５５ａを押圧し続けるので、蓋体開閉レバー５３及び蓋体同期レバー５２は、図１２に示す斜め溝５５ｃを介して回動軸５３ｃが下方位置状態を保ち、その結果、蓋体５１の開蓋状態を維持する。
【０１６６】
この結果、ＭＤ２は、蓋体５１に阻止されることなく、キャビネット３外に突出され、その後、操作者がその一端を掴んで記録再生装置１の外へ排出することができる。
【０１６７】
このように、蓋体５１を間隙６により近い下辺縁部１１ｄから先に間隙６内に進入させるに際して、蓋体５１の一部を引っ張るように間隙６内に進入させたのでは、蓋体５１における長手方向で偏心した状態で進入するおそれがある。
【０１６８】
しかし、本実施の形態の蓋体開閉機構５０では、蓋体５１を間隙６により近い下辺縁部１１ｄから先に間隙６内に進入させるに際して、進入均一化手段としての蓋体開閉レバー５３及び蓋体同期レバー５２が蓋体における長手方向の両端共を均一に進入させる。
【０１６９】
この結果、蓋体５１蓋体が均一に安定して間隙６に進入するので、蓋体開閉機構５０の品質の向上を図ることができる。
【０１７０】
【発明の効果】
本発明に係る蓋体開閉機構は、以上のように、開口部の裏面側には、挿入完了位置にあるケースに対して挿入完了位置よりも開口部側かつ記録再生駆動部側に間隙が設定されており、上記開口部から挿入されるケースと当接する蓋体を、ケースの挿入による当接力によって、上記間隙により近い蓋体の辺縁部から先に間隙内に進入させる案内手段を備えているものである。
【０１７１】
それゆえ、蓋体の回動半径によって定まる従来の移動領域と比べて、蓋体の厚みで定まる本発明の移動領域はより小さくなる。また、ケースの挿入完了位置と筐体上面との間に遊びの空間を設ける必要がない。
【０１７２】
この結果、装置を薄くして小型化を図り得る蓋体開閉機構を提供することができるという効果を奏する。
【０１７３】
本発明に係る蓋体開閉機構は、以上のように、上記の蓋体開閉機構において、上記ケースの挿入完了位置と記録再生可能位置とが一致していると共に、ケースが挿入完了位置に到達したときに、上記蓋体の間隙への進入軌跡に沿って蓋体を逆動させ、開口部を閉状態とする付勢手段を備えているものである。
【０１７４】
それゆえ、挿入完了位置が記録再生可能位置に一致しているので、挿入完了位置と記録再生可能位置との間に距離を設ける必要がない。この結果、記録再生装置を薄型化することが可能となる。
【０１７５】
また、本発明では、ケースが挿入完了位置に到達したときに、上記蓋体の間隙への進入軌跡に沿って蓋体を逆動させ、開口部を閉状態とする付勢手段を備えている。このため、ケースの装着・非装着に係わらず、常に開口部を閉状態として、埃や異物等の侵入から記録再生装置を充分に保護する蓋体開閉機構を提供することができるという効果を奏する。
【０１７６】
本発明に係る蓋体開閉機構は、以上のように、上記の蓋体開閉機構において、上記案内手段は、上記蓋体の長手方向両端の各側面部に、上記長手方向と平行に突出して形成された第１ガイドピン及び第２ガイドピンと、各ガイドピンを嵌入させて蓋体の移動を案内するガイド溝が形成され、対向状態で上記筐体に設けられた１対の蓋体保持部とを備え、上記ガイド溝の内、第１ガイドピンに対応する第１ガイド溝よりも第２ガイドピンに対応する第２ガイド溝が上記間隙に近い側で、上記ケースの挿入方向と略直角に形成される一方、ケースが上記間隙内に進入する際の第２ガイドピンに対する第１ガイドピンの相対的な移動が、第２ガイドピンを中心とした回動となるように、第１ガイド溝及び第２ガイド溝が形成されているものである。
【０１７７】
それゆえ、蓋体の長手方向両端の各側面部にガイドピンを突設し、ガイドピンの移動を案内するガイド溝を各ガイドピンに対応付けて蓋体保持部に形成するといった簡単な構成で、蓋体の移動領域を最も小さくする略弧状の軌跡を描いて、蓋体を開口部と間隙との間で移動させることができるという効果を奏する。
【０１７８】
本発明に係る蓋体開閉機構は、以上のように、上記の蓋体開閉機構において、上記ケースの挿入開始時に、第２ガイド溝における第２ガイドピンの移動開始方向よりも筐体内側へ第１ガイドピンが移動できるように、第１ガイド溝の溝幅が、局部的に円弧状に広げられていると共に、この円弧はケースの挿入開始時に蓋体が大きく傾き、かつ挿入終了時に近づくに伴い蓋体が小さく傾くように形成されているものである。
【０１７９】
それゆえ、ケースの挿入開始時におけるケースの蓋体への押圧によって、下方移動する蓋体の上辺縁部がこの円弧状に沿って傾斜する。従って、ケースの挿入角度に対して蓋体が直交するように閉蓋されている場合においても、ケースの挿入開始時には、蓋体を容易に傾斜してケースを抵抗なく挿入することができる。
【０１８０】
また、本発明では、上記のように第１ガイド溝の溝幅が形成されているので、間隙幅を小さくし、記録再生装置をケースの挿入方向に薄くして小型化を図り得る蓋体開閉機構を提供することができるという効果を奏する。
【０１８１】
本発明に係る蓋体開閉機構は、以上のように、上記の蓋体開閉機構において、上記蓋体を上記間隙により近い蓋体の辺縁部から先に間隙内に進入させるに際して、蓋体における長手方向の両端共を均一に進入させる進入均一化手段が設けられているものである。
【０１８２】
それゆえ、蓋体が均一に安定して間隙に進入するので、蓋体開閉機構の品質の向上を図ることができるという効果を奏する。
【０１８３】
本発明に係る記録再生装置は、以上のように、開口部の裏面側には、挿入完了位置にあるケースに対して挿入完了位置よりも開口部側かつ記録再生駆動部側に間隙が設定されており、上記開口部から挿入されるケースと当接する蓋体を、ケースの挿入による当接力によって、上記間隙により近い蓋体の辺縁部から先に間隙内に進入させる案内手段を備えている蓋体開閉機構と、上記ケースを開口部と挿入完了位置との間で進退させると共に、挿入完了位置と記録再生可能位置との間で移動させる媒体脱着機構と、上記筐体から露出して設けられた操作部に連接され、上記ケースが記録再生可能位置にあるときに、操作者により操作された操作部の移動ストロークに対応して、上記蓋体開閉機構に係合した状態で、蓋体開閉機構に蓋体の開移動を行わせると共に、上記媒体脱着機構に係合した状態で、媒体脱着機構にケースの排出動作を行わせる係合部材とを備えているものである。
【０１８４】
それゆえ、蓋体を開閉する蓋体開閉機構と、ケースを記録再生装置に対して脱着する媒体脱着機構と、操作者が操作する操作部との三者が、係合部材を仲介として機構的に連動し、記録再生可能位置に配されたケースを筐体外に排出させることができる。即ち、操作部の操作ひとつで、開口部を開き、ケースを記録再生可能位置から挿入完了位置及び開口部を経て筐体外へ排出する一連の動作を、機構的な係合関係で行わせることができる。
【０１８５】
これにより、蓋体開閉機構の蓋体開閉動作、或いは媒体脱着機構のケース脱着動作を行わせるための専用の駆動源を別途備える必要が無い。また、駆動源の駆動力を蓋体開閉機構や媒体脱着機構に伝達するための伝達機構を別途設ける必要も無い。従って、駆動源や伝達機構を設けなくて済む分、記録再生装置の小型化もしくは薄型化、並びに軽量化を図ることができる。
【０１８６】
また、本発明では、蓋体が開蓋時に収容される間隙は、開口部の裏面側における、挿入完了位置にあるケースに対して挿入完了位置よりも開口部側かつ記録再生駆動部側に間隙が設定されているので、特に、記録再生装置の薄型化及び小型化を図ることができるという効果を奏する。
【図面の簡単な説明】
【図１】（ａ）ないし（ｄ）は、本発明の実施の一形態に係る蓋体開閉機構の部分断面図であり、ＭＤ挿入時の蓋体の動作を示す説明図である。
【図２】上記の記録再生装置の外観を示す斜視図である。
【図３】（ａ）は蓋体開閉機構の平面の断面図であり、（ｂ）は同右側面の断面図であり、（ｃ）は同正面の断面図である。
【図４】上記記録再生装置の蓋体開閉機構を示す斜視図である。
【図５】（ａ）はＭＤが装着された状態における蓋体開閉機構の平面の断面図であり、（ｂ）は同右側面の断面図であり、（ｃ）は同正面の断面図である。
【図６】上記蓋体開閉機構における第１ガイド溝の変形例を示すものであり、（ａ）はＭＤの未装着の状態における断面図であり、（ｂ）はＭＤの挿入開始時の状態における断面図である。
【図７】上記蓋体開閉機構における他の変形例を示すものであり、蓋体開閉レバー及び蓋体同期レバーを備えた蓋体開閉機構を示す斜視図である。
【図８】本発明における記録再生装置の他の実施の形態を示すものであり、（ａ）はイジェクト機構を備えた蓋体開閉機構のＭＤの装着状態における平面の断面図であり、（ｂ）は同右側面の断面図であり、（ｃ）は同正面の断面図である。
【図９】（ａ）は上記記録再生装置においてイジェクトつまみを少し回動した状態を示す平面の断面図であり、（ｂ）は同右側面の断面図であり、（ｃ）は同正面の断面図である。
【図１０】（ａ）は上記記録再生装置においてＭＤが取り出された状態を示す平面の断面図であり、（ｂ）は同右側面の断面図であり、（ｃ）は同正面の断面図である。
【図１１】本発明における記録再生装置の他の実施の形態を示すものであり、蓋体開閉機構を示す斜視図である。
【図１２】（ａ）は上記蓋体開閉機構のＭＤの装着状態における平面の断面図であり、（ｂ）は同右側面の断面図であり、（ｃ）は同正面の断面図である。
【図１３】（ａ）は上記記録再生装置においてイジェクトつまみを少し回動した状態を示す平面の断面図であり、（ｂ）は同右側面の断面図であり、（ｃ）は同正面の断面図である。
【図１４】（ａ）は上記記録再生装置においてＭＤが取り出された状態を示す平面の断面図であり、（ｂ）は同右側面の断面図であり、（ｃ）は同正面の断面図である。
【図１５】従来の蓋体開閉機構の構成例を示すものであり、（ａ）はＭＤの未装着状態を示す断面図であり、（ｂ）はＭＤの装着状態を示す断面図である。
【図１６】従来の他の蓋体開閉機構の構成例を示すものであり、（ａ）はＭＤの未装着状態を示す断面図であり、（ｂ）はＭＤの装着状態を示す断面図である。
【図１７】従来の蓋体開閉機構のさらに他の構成例を示すものであり、（ａ）は正面図であり、（ｂ）は同平面であり、（ｃ）は図（ｂ）のＸ−Ｘ線断面図である。
【符号の説明】
１    記録再生装置
２    ＭＤ（ケース）
３    キャビネット（筐体）
３ａ  開口部
６    間隙
１０    蓋体開閉機構
１１    蓋体
１２    蓋体保持部（案内手段）
１２ｂ  第１ガイド溝（案内手段）
１２ｃ  第２ガイド溝（案内手段）
１１ｂ  第１ガイドピン（案内手段）
１１ｃ  第２ガイドピン（案内手段）
１１ｄ  下辺縁部（辺縁部）
１１ｅ  上辺縁部
１３    蓋体開閉レバー（案内手段、駆動部材）
３１    イジェクトつまみ（操作部）
３３    連結レバー（係合部材）
５２    蓋体同期レバー（進入均一化手段）
５３    蓋体開閉レバー（進入均一化手段）
【図１】
0003617768.tif 000002
【図２】
0003617768.tif 000003
【図３】
0003617768.tif 000004
【図４】
0003617768.tif 000005
【図５】
0003617768.tif 000006
【図６】
0003617768.tif 000007
【図７】
0003617768.tif 000008
【図８】
0003617768.tif 000009
【図９】
0003617768.tif 000010
【図１０】
0003617768.tif 000011
【図１１】
0003617768.tif 000012
【図１２】
0003617768.tif 000013
【図１３】
0003617768.tif 000014
【図１４】
0003617768.tif 000015
【図１５】
0003617768.tif 000016
【図１６】
0003617768.tif 000017
【図１７】
0003617768.tif 000018